(57)【要約】【課題】基板に実装されたコネクタの少なくとも基板側の端近傍の周囲を囲むコネクタ用カバーの側壁を多重構造とすることによって、各部が弾性的に変形可能であり、簡単な構造でありながらコネクタの外周面及び蓋（ふた）板の下面に密着可能であり、製造が容易で、コストが低く、繰返し着脱することができるようにする。【解決手段】少なくとも一部が蓋板によって覆われる基板に実装されたコネクタにおける基板側の端近傍の周囲を囲む本体部３３を有するコネクタ用カバー３１であって、前記蓋板は、前記コネクタの周囲を囲む開口を備え、前記本体部３３は、上側壁３５及び多重構造の側壁を備え、前記上側壁３５は、前記蓋板の基板側面における開口の外周部分に当接し、前記側壁の最も内側の側壁３４ｂは、前記コネクタにおける蓋板と基板との間の外周面に当接する。【選択図】図１
2008204774.tif 000002
【特許請求の範囲】
【請求項１】
（ａ）基板（９１）に実装されたコネクタ（１）における基板（９１）側の端近傍の周囲を囲む本体部（３３）を有するコネクタ用カバー（３１）であって、
（ｂ）前記本体部（３３）は、上側壁（３５）及び多重構造の側壁（３４）を備え、
（ｃ）該側壁（３４）は、前記本体部（３３）の基板（９１）側で開放されるとともに、その反対側で上側壁（３５）に一体的に接続され、
（ｄ）前記側壁（３４）の最も内側の側壁（３４ｂ）は、前記コネクタ（１）における基板（９１）端側の外周面に当接することを特徴とするコネクタ用カバー（３１）。
【請求項２】
（ａ）少なくとも一部が蓋板（９２）によって覆われる基板（９１）に実装されたコネクタ（１）における基板（９１）側の端近傍の周囲を囲む本体部（３３）を有するコネクタ用カバー（３１）であって、
（ｂ）前記蓋板（９２）は、前記コネクタ（１）の周囲を囲む開口（９３）を備え、
（ｃ）前記本体部（３３）は、上側壁（３５）及び多重構造の側壁（３４）を備え、
（ｄ）前記上側壁（３５）は、前記蓋板（９２）の基板（９１）側面における開口（９３）の外周部分に当接し、
（ｅ）前記側壁（３４）の最も内側の側壁（３４ｂ）は、前記コネクタ（１）における蓋板（９２）と基板（９１）との間の外周面に当接することを特徴とするコネクタ用カバー（３１）。
【請求項３】
（ａ）前記側壁（３４）は、外側壁（３４ａ）及び内側壁（３４ｂ）から成る二重構造であり、
（ｂ）前記外側壁（３４ａ）及び内側壁（３４ｂ）の上端は、前記上側壁（３５）に接続されている請求項１又は２に記載のコネクタ用カバー（３１）。
【請求項４】
前記外側壁（３４ａ）と内側壁（３４ｂ）との間は中空である請求項３に記載のコネクタ用カバー（３１）。
【請求項５】
前記内側壁（３４ｂ）は、上下方向に延在し、一端が内側壁（３４ｂ）の下端で開放するスリット（４１）を備える請求項３に記載のコネクタ用カバー（３１）。
【請求項６】
前記本体部（３３）は、外側壁（３４ａ）と内側壁（３４ｂ）とを連結する連結リブ（３９）を備える請求項３に記載のコネクタ用カバー（３１）。
【請求項７】
前記本体部（３３）は、前記コネクタ（１）の開口（１２）を塞ぐ突起（３８）を備える請求項１又は２に記載のコネクタ用カバー（３１）。
【請求項８】
前記本体部（３３）は、前記コネクタ（１）とコネクタ用カバー（３１）との位置関係をロックするロック爪（３６）を備える請求項１又は２に記載のコネクタ用カバー（３１）。
【請求項９】
前記上側壁（３５）は、前記蓋板（９２）側の面が平坦である請求項２に記載のコネクタ用カバー（３１）。
【発明の詳細な説明】
【技術分野】
【０００１】
本発明は、コネクタ用カバーに関するものである。
【背景技術】
【０００２】
従来、ケーブルをプリント回路基板等の回路基板に接続するために基板用コネクタが使用されている。このような基板用コネクタは、回路基板に実装され、ケーブルの端部に接続されたケーブル用コネクタと嵌（かん）合する。
【０００３】
ところで、近年、パチンコ、パチンコとスロットマシーンとを組合せたパチスロ等の遊技機器を不正に操作するために、該遊技機器の回路基板に接続されている基板用コネクタの端子に針金や針等細長い金属様のものをプローブのように（これら針金や細長い金属様のものを、以下プローブという）接触させて遊技機器の信号回路に不正信号を流す不正行為が行われている。この場合、回路基板に取付けられた基板用コネクタ側面の下端縁と回路基板表面との間からプローブを差込み、基板用コネクタの底面から突出する端子にプローブを接触させることが多い。
【０００４】
そこで、このような不正行為を防止するために、回路基板に取付けられた基板用コネクタ側面の下端縁の周囲にシート状又は板状の樹脂製の不正防止用蓋（ふた）板を取付けることが提案されている。所定寸法、例えば、約０．２〔ｍｍ〕以上の厚さの不正防止用蓋板で基板用コネクタ側面の下端縁の周囲を覆うことによって、基板用コネクタ側面の下端縁と回路基板表面との間からプローブを差込むことを防止することができる。
【０００５】
前記不正防止用蓋板は、基板用コネクタを回路基板に取付けた後に、基板用コネクタ周辺の回路基板表面を覆うように回路基板に取付けられる。この場合、前記不正防止用蓋板は、基板用コネクタの周囲を囲むような開口を備え、該開口に基板用コネクタを通すようにして、回路基板に取付けられるようになっている。
【０００６】
しかし、前記開口の内縁と基板用コネクタの周囲との間には、不可避的な隙（すき）間が生じるので、該隙間からプローブが差込まれる可能性がある。そこで、前記基板用コネクタの周囲を取囲むとともに前記隙間を塞（ふさ）ぐような遮蔽（へい）部材を回路基板に取付ける技術が提案されている（例えば、特許文献１参照。）。
【０００７】
図６は従来の基板用コネクタの断面図である。
【０００８】
図において、８０１は導電トレースを備える回路基板であり、基板用コネクタ８０２が実装されている。該基板用コネクタ８０２には、図示されないケーブルの端部に接続されたケーブル用コネクタが嵌合されるようになっている。また、回路基板８０１の上方には該回路基板８０１の表面を覆うように不正防止用蓋板８０３が取付けられている。なお、該不正防止用蓋板８０３は、開口を備え、該開口に基板用コネクタ８０２を通すようにして、回路基板８０１に取付けられている。
【０００９】
さらに、該回路基板８０１の表面には、基板用コネクタ８０２の周囲を取囲む遮蔽部材８０５が取付けられている。そして、前記不正防止用蓋板８０３は、開口の縁に接続された下方に延出する筒部８０４を備え、該筒部８０４が前記遮蔽部材８０５の上面に形成された溝８０６内に嵌入される。
【００１０】
これにより、不正防止用蓋板８０３の開口と基板用コネクタ８０２の周囲との隙間が遮蔽部材８０５によって塞がれるので、前記隙間からプローブを差込み、基板用コネクタ８０２の底面から突出する端子にプローブを接触させる不正行為を適切に防止することができる。
【特許文献１】特開２００６−８１７１４号公報
【発明の開示】
【発明が解決しようとする課題】
【００１１】
しかしながら、前記従来の遮蔽部材８０５においては、上面に溝８０６を形成し、該溝８０６内に不正防止用蓋板８０３の筒部８０４を嵌入することによって、不正防止用蓋板８０３との間に隙間を発生させないようになっている。そのため、遮蔽部材８０５の構造が複雑になり製造が困難である。また、不正防止用蓋板８０３も、開口の縁に下方に延出する筒部８０４を接続する必要があるので、構造が複雑になり製造が困難である。
【００１２】
さらに、前記遮蔽部材８０５は、その内周面が基板用コネクタ８０２の外周面と密着する必要があるが、一般的に、基板用コネクタ８０２の外周面は、平坦（たん）な面ではなく、凹凸を備えている。そのため、前記遮蔽部材８０５の内周面を、基板用コネクタ８０２の外周面の凹凸に適合した形状に形成する必要があり、製造が困難である。しかし、遮蔽部材８０５の内周面が基板用コネクタ８０２の外周面と密着しないと、プローブの差込みを適切に防止することができなくなってしまう。
【００１３】
本発明は、前記従来の問題点を解決して、基板に実装されたコネクタの少なくとも基板側の端近傍の周囲を囲むコネクタ用カバーの側壁を多重構造とすることによって、各部が弾性的に変形可能であり、簡単な構造でありながらコネクタの外周面及び蓋板の下面に密着可能であり、製造が容易で、コストが低く、繰返し着脱することができるコネクタ用カバーを提供することを目的とする。
【課題を解決するための手段】
【００１４】
そのために、本発明のコネクタ用カバーにおいては、基板に実装されたコネクタにおける基板側の端近傍の周囲を囲む本体部を有するコネクタ用カバーであって、前記本体部は、上側壁及び多重構造の側壁を備え、該側壁は、前記本体部の基板側で開放されるとともに、その反対側で上側壁に一体的に接続され、前記側壁の最も内側の側壁は、前記コネクタにおける基板端側の外周面に当接する。
【００１５】
本発明の他のコネクタ用カバーにおいては、少なくとも一部が蓋板によって覆われる基板に実装されたコネクタにおける基板側の端近傍の周囲を囲む本体部を有するコネクタ用カバーであって、前記蓋板は、前記コネクタの周囲を囲む開口を備え、前記本体部は、上側壁及び多重構造の側壁を備え、前記上側壁は、前記蓋板の基板側面における開口の外周部分に当接し、前記側壁の最も内側の側壁は、前記コネクタにおける蓋板と基板との間の外周面に当接する。
【００１６】
本発明の他のコネクタ用カバーにおいては、さらに、前記側壁は、外側壁及び内側壁から成る二重構造であり、前記外側壁及び内側壁の上端は、前記上側壁に接続されている。
【００１７】
本発明の更に他のコネクタ用カバーにおいては、さらに、前記外側壁と内側壁との間は中空である。
【００１８】
本発明の更に他のコネクタ用カバーにおいては、さらに、前記内側壁は、上下方向に延在し、一端が内側壁の下端で開放するスリットを備える。
【００１９】
本発明の更に他のコネクタ用カバーにおいては、さらに、前記本体部は、外側壁と内側壁とを連結する連結リブを備える。
【００２０】
本発明の更に他のコネクタ用カバーにおいては、さらに、前記本体部は、前記コネクタの開口を塞ぐ突起を備える。
【００２１】
本発明の更に他のコネクタ用カバーにおいては、さらに、前記本体部は、前記コネクタとコネクタ用カバーとの位置関係をロックするロック爪（つめ）を備える。
【００２２】
本発明の更に他のコネクタ用カバーにおいては、さらに、前記上側壁は、前記蓋板側の面が平坦である。
【発明の効果】
【００２３】
本発明によれば、コネクタ用カバーは、基板に実装されたコネクタの少なくとも基板側の端近傍の周囲を囲み、側壁が多重構造となっている。これにより、各部が弾性的に変形可能であり、簡単な構造でありながらコネクタの外周面及び蓋板の下面に密着可能であり、製造が容易で、コストが低く、繰返し着脱することができる。
【発明を実施するための最良の形態】
【００２４】
以下、本発明の実施の形態について図面を参照しながら詳細に説明する。
【００２５】
図１は本発明の実施の形態におけるコネクタ用カバーを斜め上方向から観た斜視図、図２は本発明の実施の形態におけるコネクタ用カバーを斜め下方向から観た斜視図である。
【００２６】
図において、３１は本実施の形態におけるコネクタ用カバーであり、後述される基板９１に実装されたコネクタとしての基板用コネクタ１の基板９１側の端近傍の周囲を囲むように取付けられる。なお、前記基板用コネクタ１は、いわゆるストレートタイプのレセプタクルコネクタであり、基板９１に対して垂直に延在し、開口が上を向き、後述される相手側コネクタ１０１が基板用コネクタ１に嵌合する方向が基板９１に対して垂直となるタイプのコネクタである。そして、前記コネクタ用カバー３１は、図１における下側端、すなわち、図２における上側端が基板９１の表面に対向するような向きで取付けられる。
【００２７】
そして、前記基板用コネクタ１及び相手側コネクタ１０１は、いかなる用途に使用されるものであってもよいが、ここでは、パチンコ、パチスロ等の遊技機器に使用される場合について説明する。この場合、前記基板９１は遊技機器のプリント回路基板等である。そして、遊技機器に対しては、例えば、基板用コネクタ１側面の下端縁と基板９１表面との間からプローブを差込み、基板用コネクタ１の底面から突出する、後述される端子６１にプローブを接触させることによって、遊技機器の信号回路に不正信号を流す不正行為が行われるので、該不正行為を防止するために、後述される蓋板９２が基板９１の少なくとも一部の上を覆うように取付けられる。
【００２８】
なお、基板９１の表面には、各種の電気機器、電子機器等が実装されているので、蓋板９２は、基板９１の表面との間に所定の間隔が生じるように取付けられる。さらに、前記蓋板９２は、基板用コネクタ１の周囲を取囲むような開口９３を備え、該開口９３に基板用コネクタ１を通すようにして、基板９１に取付けられるようになっている。
【００２９】
しかし、前記開口９３の内縁と基板用コネクタ１の周囲との間には、不可避的な隙間が生じるので、該隙間からプローブが差込まれる可能性がある。そこで、コネクタ用カバー３１を基板用コネクタ１の基板９１側の端近傍の周囲を囲むように取付けることによって、前記隙間からプローブが差込まれることを防止するようになっている。
【００３０】
なお、本実施の形態において、コネクタ用カバー３１、基板用コネクタ１及び相手側コネクタ１０１の各部の構成及び動作を説明するために使用される上、下、左、右、前、後等の方向を示す表現は、絶対的なものでなく相対的なものであり、コネクタ用カバー３１、基板用コネクタ１及び相手側コネクタ１０１が図に示される姿勢である場合に適切であるが、コネクタ用カバー３１、基板用コネクタ１及び相手側コネクタ１０１の姿勢が変化した場合には姿勢の変化に応じて変更して解釈されるべきものである。
【００３１】
本実施の形態において、コネクタ用カバー３１は、合成樹脂等の絶縁性材料によって一体的に形成された部材であり、略長方形状のコネクタ収容開口３２、及び、該コネクタ収容開口３２の周囲を取囲む連続した壁部材としての本体部３３を有する。該本体部３３は、２組の対向する直線上の壁部材を連結した略「口」字状の部材であり、前記コネクタ収容開口３２の外周を画定する。なお、前記コネクタ収容開口３２は、本体部３３を厚さ方向、すなわち、上下方向に貫通する。
【００３２】
そして、前記本体部３３は、コネクタ収容開口３２の周囲を取囲む２つの側壁３４を備える多重構造を有する。すなわち、多重の側壁３４を備える。該側壁３４の数は２以上であればよく、例えば、３であっても４であってもよいが、ここでは、説明の都合上、前記側壁３４の数が２であり、本体部３３が二重構造を有するものである場合について説明する。この場合、本体部３３は、図２に最もよく示されるように、最も外側の側壁としての外側壁３４ａ及び最も内側の側壁としての内側壁３４ｂを有する。そして、前記外側壁３４ａ及び内側壁３４ｂは、各々、２組の対向する直線状の長方形の板部材を連結した略「口」字状の部材である。
【００３３】
また、本体部３３は、図１に示されるように、外側壁３４ａ及び内側壁３４ｂの上端を接続する上側壁３５を有する。該上側壁３５の上面は、ほぼ平坦であり、前記蓋板９２の基板９１側面、すなわち、下面と当接する。また、前記上側壁３５の両側の側縁は、外側壁３４ａ及び内側壁３４ｂの上端縁とほぼ直交するように一体的に接続されている。これにより、外側壁３４ａ及び内側壁３４ｂは、各々、上端のみが上側壁３５に接続されて下端が自由となっているので、柔軟に弾性変形可能な状態となっている。
【００３４】
なお、本実施の形態においては、図２に示されるように、本体部３３の対向する長辺の途中に対応する部位に、外側壁３４ａと内側壁３４ｂとを連結する連結リブ３９が形成されている。該連結リブ３９は、上下方向に延在し、両側の側縁が外側壁３４ａ及び内側壁３４ｂに接続されている。そのため、外側壁３４ａ及び内側壁３４ｂは、各々、連結リブ３９によって拘束されるので、柔軟性が低下して変形しにくくなる。これは、本体部３３の対向する長辺に対応する部分では、外側壁３４ａ及び内側壁３４ｂが細長い帯状となって剛性が低下し、柔軟性が過多となるので、柔軟性を低下させる必要があるためである。すなわち、前記連結リブ３９を配設することによって、外側壁３４ａ及び内側壁３４ｂの柔軟性が低くなるように調整することができる。なお、前記連結リブ３９の数、配設される部位、肉厚等を適宜設定することによって、外側壁３４ａ及び内側壁３４ｂの柔軟性を適宜調整することができる。
【００３５】
また、本実施の形態においては、図１及び２に示されるように、本体部３３の対向する短辺の途中に対応する部位に、内側壁３４ｂの一部を切断するスリット４１が形成されている。該スリット４１は、上下方向に延在し、一端が内側壁３４ｂの下端で開放されている。そのため、内側壁３４ｂは、スリット４１によって分割されるので、柔軟性が向上して変形しやすくなる。これは、本体部３３の対向する短辺に対応する部分では、内側壁３４ｂが左右が拘束された短い矩（く）形状となって剛性が高くなり、柔軟性が低下するので、柔軟性を向上させる必要があるためである。すなわち、前記スリット４１を形成することによって、内側壁３４ｂの柔軟性が低くなるように調整することができる。なお、前記スリット４１の数、形成される部位、長さ、幅等を適宜設定することによって、内側壁３４ｂの柔軟性を適宜調整することができる。また、必要に応じて、外側壁３４ａにスリット４１を形成することによって、外側壁３４ａの柔軟性が低くなるように調整することもできる。
【００３６】
さらに、前記内側壁３４ｂには、基板用コネクタ１の後述されるハウジング１１に形成された凹部１９と係合する係合凸部３７、前記ハウジング１１に形成された開口１２と係合して該開口１２を塞ぐ突起としての閉塞（そく）突起３８、前記ハウジング１１に形成された凸部１８と係合する係合凹部４４、及び、前記ハウジング１１に形成された凹溝１７と係合する凸条部４２が形成されている。
【００３７】
また、前記内側壁３４ｂには、ハウジング１１に形成されたロック孔（あな）１６と係合して、コネクタ用カバー３１と基板用コネクタ１との位置関係をロックする第１ロック爪３６ａ及び第３ロック爪３６ｃが形成されている。また、内側壁３４ｂの中央には第２ロック爪３６ｂが形成され、やはりハウジング１１に設けられた開口１３の縁と係合する。図示される例においては、第１ロック爪３６ａが係合凸部３７に形成され、第３ロック爪３６ｃが係合凹部４４に形成されているが、前記第１ロック爪３６ａ、第２ロック爪３６ｂ及び第３ロック爪３６ｃは、どの部位に形成されてもよく、その数も適宜設定することができる。なお、前記第１ロック爪３６ａ、第２ロック爪３６ｂ及び第３ロック爪３６ｃを統合的に説明する場合には、ロック爪３６として説明する。
【００３８】
次に、本実施の形態における基板用コネクタ１及び相手側コネクタ１０１について説明する。
【００３９】
図３は本実施の形態における基板用コネクタ、相手側コネクタ及びコネクタ用カバーを示す斜視図であり、図３（ａ）はフラットケーブルの引出し側から見た斜視図、図３（ｂ）はその反対側から見た斜視図である。
【００４０】
図示される例において、基板用コネクタ１は、いわゆるヘッダーコネクタであり、米国のミル規格（Ｍｉｌｉｔａｒｙ  Ｓｐｅｃｉｆｉｃａｔｉｏｎ）に適合する規格品である。また、相手側コネクタ１０１は、いわゆるフラットリボンコネクタであり、前記基板用コネクタ１と同様に、米国のミル規格に適合する規格品である。
【００４１】
ここで、前記相手側コネクタ１０１は、合成樹脂等の絶縁性材料によって一体的に形成された相手側ハウジング１１１、及び、合成樹脂等の絶縁性材料によって一体的に形成され、前記相手側ハウジング１１１に結合された相手側リテーナ１２１を備える。そして、前記相手側コネクタ１０１には、複数の導線を並列に接続して形成されたリボンケーブルとも称されるフラットケーブル１９１の端部が接続されている。
【００４２】
また、前記基板用コネクタ１は、合成樹脂等の絶縁性材料によって一体的に形成されたハウジング１１、及び、該ハウジング１１の底板を貫通するように取付けられた金属製の端子６１を有する。該端子６１は、前記底板よりも下方に延出するテール部６２を備え、上方の部分が相手側コネクタ１０１の後述される相手側端子１６１と接触するとともに、前記テール部６２が基板９１に接続される部材であり、端子嵌入孔に嵌（は）め込まれることによって、ハウジング１１の底板に取付けられている。図示される例において、端子６１は、合計２０本が所定のピッチで２列となるように配列されているが、端子６１の数、ピッチ、列数は任意に変更することができ、例えば、１列又は３列以上となるように配列されていてもよい。
【００４３】
そして、前記ハウジング１１の両側には、前記相手側コネクタ１０１を保持するための保持腕部材２１が回動可能に取付けられている。該保持腕部材２１の自由端には、保持爪２４が形成され、相手側コネクタ１０１が基板用コネクタ１に嵌合された状態で、相手側ハウジング１１１の上面の両側に形成された保持突起１２４に係合するようになっている。これにより、相手側コネクタ１０１と基板用コネクタ１との嵌合状態を確実に保持して、不要な嵌合解除を防止することができる。
【００４４】
また、前記ハウジング１１の側壁にはコネクタ用カバー３１の係合凹部４４と係合する凸部１８が形成され、また、前記ハウジング１１の側壁の下端近傍には上下方向に延在し、コネクタ用カバー３１の凸条部４２と係合する凹溝１７が形成されている。なお、前記凸部１８にはコネクタ用カバー３１の第３ロック爪３６ｃと係合するロック孔１６が形成されている。
【００４５】
次に、基板９１に実装された基板用コネクタ１に取付けられた状態のコネクタ用カバー３１について説明する。
【００４６】
図４は本実施の形態における基板に実装されて相手側コネクタが嵌合された基板用コネクタを示す斜視図、図５は本実施の形態における基板に実装された基板用コネクタに取付けられた状態のコネクタ用カバーの断面図であり図４におけるＡ−Ａ矢視断面図である。
【００４７】
本実施の形態において、基板９１は、プリント配線板等の回路基板であり、例えば、パチンコ、パチスロ等の遊技機器に使用される回路基板であるが、コンピュータ、自動販売機、家庭用電化製品等に使用される回路基板であってもよく、いかなる種類の電気機器や電子機器に使用される回路基板であってもよい。また、前記基板９１には図示されない導電トレース、及び、基板９１を厚さ方向に貫通するとともに前記導電トレースに電気的に接続されたスルーホール９４が形成されている。
【００４８】
そして、基板用コネクタ１は、ハウジング１１の底面が基板９１の表面（図５における上側面）に対向するような向きで基板９１に実装される。この場合、下方に延出する端子６１のテール部６２の先端が対応するスルーホール９４に挿入される。これにより、基板用コネクタ１は、基板９１の所定の位置に所定の向きで取付けられる。なお、図５に示されるように、前記端子６１のテール部６２の先端は、スルーホール９４を通り抜け、基板９１の裏面（図５における下側面）から突出する。そして、テール部６２がはんだ付等によって基板９１のスルーホール９４に固定されることによって、基板用コネクタ１が基板９１に固定されている。
【００４９】
また、基板用コネクタ１の基板９１側端、すなわち、下端の周囲を囲むようにコネクタ用カバー３１が取付けられる。この場合、該コネクタ用カバー３１の係合凸部３７、閉塞突起３８、係合凹部４４及び凸条部４２は、基板用コネクタ１のハウジング１１に形成された凹部１９、開口１２、凸部１８及び凹溝１７と係合する。そのため、基板用コネクタ１のハウジング１１に形成された凹部１９、開口１２、凸部１８及び凹溝１７は、前記コネクタ用カバー３１の係合凸部３７、閉塞突起３８、係合凹部４４及び凸条部４２によって塞がれる。また、コネクタ用カバー３１の内側壁３４ｂは、適切な柔軟性を備え、基板用コネクタ１のハウジング１１の外形に対応して弾性的に変形し、ハウジング１１の外周面に密着する。さらに、コネクタ用カバー３１のロック爪３６がハウジング１１のロック孔１６等と係合することによって、コネクタ用カバー３１と基板用コネクタ１との位置関係がロックされる。これらの要因により、基板用コネクタ１の下端の周囲とコネクタ用カバー３１との間に隙間が生じることがなく、プローブの差込みを適切に防止することができる。なお、コネクタ用カバー３１の外側壁３４ａ及び内側壁３４ｂの下端は、基板９１の表面に当接している。
【００５０】
そして、蓋板９２は、基板９１の上を覆うように、かつ、開口９３内を基板用コネクタ１が通過するように取付けられる。前記蓋板９２は、例えば、アクリル等の絶縁性樹脂から成る薄板、ポリイミド等の絶縁性樹脂から成るシートであるが、絶縁性材料から成る薄板状又はシート状の板状部材であれば、いかなる種類のものであってもよい。なお、前記蓋板９２の縦方向及び横方向の寸法は、基板用コネクタ１の周囲を取囲むことができる寸法であればよく、いかなる程度の大きさであってもよい。また、前記蓋板９２の下面における開口９３の外周部分は、コネクタ用カバー３１の上側壁３５に当接する。この場合、該上側壁３５が蓋板９２によって下向きに、すなわち、基板９１に向けて押圧されると、外側壁３４ａ及び内側壁３４ｂが弾性的に変形することによって、上向きのばね力が発生し、該ばね力によって前記上側壁３５が蓋板９２に対して付勢される。そのため、前記上側壁３５の平坦な上面が蓋板９２の平坦な下面に密着するので、開口９３の周囲において蓋板９２とコネクタ用カバー３１との間に隙間が生じることがなく、プローブの差込みを適切に防止することができる。
【００５１】
さらに、前記基板用コネクタ１には、フラットケーブル１９１の端部が接続された相手側コネクタ１０１が嵌合されている。この状態において、一端がフラットケーブル１９１の各導線に接続された相手側端子１６１が端子６１と接触する。これにより、フラットケーブル１９１の導線の各々は、相手側端子１６１、端子６１、該端子６１のテール部６２及びスルーホール９４を介して、基板９１の対応する導電トレースと導通する。
【００５２】
また、保持腕部材２１が相手側コネクタ１０１を保持するための保持位置にあり、保持爪２４が相手側ハウジング１１１の上面の両側に形成された保持突起１２４に係合している。これにより、相手側コネクタ１０１と基板用コネクタ１との嵌合状態が確実に保持され、不要な嵌合解除が適切に防止される。
【００５３】
このように、本実施の形態において、コネクタ用カバー３１の本体部３３は、上側壁３５及び多重構造の側壁３４を備え、上側壁３５は、蓋板９２の基板９１側面における開口９３の外周部分に当接し、側壁３４の最も内側の側壁である内側壁３４ｂは、基板用コネクタ１における蓋板９２と基板９１との間の外周面に当接する。この場合、側壁３４が多重構造であって適切な柔軟性を備えるので、内側壁３４ｂは基板用コネクタ１の外形に対応して弾性的に変形することができる。これにより、コネクタ用カバー３１の内側壁３４ｂと基板用コネクタ１の外周面との間に隙間が生じることがなく、プローブの差込みを適切に防止することができる。また、側壁３４が弾性的に変形することによって、上向きのばね力が発生し、該ばね力によって上側壁３５が蓋板９２に対して付勢される。これにより、開口９３の周囲において蓋板９２とコネクタ用カバー３１との間に隙間が生じることがなく、プローブの差込みを適切に防止することができる。さらに、側壁３４が弾性的に変形するのでコネクタ用カバー３１の着脱が容易となり、コネクタ用カバー３１を繰返し装着したり取外したりすることができる。
【００５４】
また、側壁３４は、外側壁３４ａ及び内側壁３４ｂから成る二重構造であり、外側壁３４ａ及び内側壁３４ｂの上端は、上側壁３５に接続されている。これにより、外側壁３４ａ及び内側壁３４ｂは、各々、柔軟に弾性変形可能な状態となる。
【００５５】
さらに、外側壁３４ａと内側壁３４ｂとの間は中空である。これにより、コネクタ用カバー３１を構成する各部材が薄肉となるので、合成樹脂等から成るコネクタ用カバー３１を容易に、かつ、高い精度で成形することができる。すなわち、各部材の肉厚を均一にすることができ、また、反りやひけが発生することがない。
【００５６】
さらに、内側壁３４ｂは、上下方向に延在し、一端が内側壁３４ｂの下端で開放するスリット４１を備える。これにより、内側壁３４ｂの柔軟性が低くなるように調整することができる。
【００５７】
さらに、本体部３３は、外側壁３４ａと内側壁３４ｂとを連結する連結リブ３９を備える。これにより、外側壁３４ａ及び内側壁３４ｂの柔軟性を適宜調整することができる。
【００５８】
さらに、本体部３３は、基板用コネクタ１の開口１２を塞ぐ閉塞突起３８を備える。これにより、基板用コネクタ１とコネクタ用カバー３１との間に隙間が生じることがなく、プローブの差込みを適切に防止することができる。
【００５９】
なお、本実施の形態においては、基板用コネクタ１及び相手側コネクタ１０１が米国のミル規格に適合するヘッダーコネクタ及びフラットリボンコネクタである場合について説明したが、基板用コネクタ１及び相手側コネクタ１０１は、これに限定されることなく、いかなる種類のものであってもよい。
【００６０】
また、本発明は前記実施の形態に限定されるものではなく、本発明の趣旨に基づいて種々変形させることが可能であり、それらを本発明の範囲から排除するものではない。
【図面の簡単な説明】
【００６１】
【図１】本発明の実施の形態におけるコネクタ用カバーを斜め上方向から観た斜視図である。
【図２】本発明の実施の形態におけるコネクタ用カバーを斜め下方向から観た斜視図である。
【図３】本実施の形態における基板用コネクタ、相手側コネクタ及びコネクタ用カバーを示す斜視図であり、図３（ａ）はフラットケーブルの引出し側から見た斜視図、図３（ｂ）はその反対側から見た斜視図である。
【図４】本実施の形態における基板に実装されて相手側コネクタが嵌合された基板用コネクタを示す斜視図である。
【図５】本実施の形態における基板に実装された基板用コネクタに取付けられた状態のコネクタ用カバーの断面図であり図４におけるＡ−Ａ矢視断面図である。
【図６】従来の基板用コネクタの断面図である。
【符号の説明】
【００６２】
１、８０２    基板用コネクタ
１１    ハウジング
１２、１３、９３    開口
１６    ロック孔
１７    凹溝
１８    凸部
１９    凹部
２１    保持腕部材
２４    保持爪
３１    コネクタ用カバー
３２    コネクタ収容開口
３３    本体部
３４ａ    外側壁
３４ｂ    内側壁
３５    上側壁
３６ａ    第１ロック爪
３６ｂ    第２ロック爪
３６ｃ    第３ロック爪
３７    係合凸部
３８    閉塞突起
３９    連結リブ
４１    スリット
４２    凸条部
４４    係合凹部
６１    端子
６２    テール部
９１    基板
９２    蓋板
９４    スルーホール
１０１    相手側コネクタ
１１１    相手側ハウジング
１２１    相手側リテーナ
１２４    保持突起
１６１    相手側端子
１９１    フラットケーブル
８０１    回路基板
８０３    不正防止用蓋板
８０４    筒部
８０５    遮蔽部材
８０６    溝
【図１】
2008204774.tif 000003
【図２】
2008204774.tif 000004
【図３】
2008204774.tif 000005
【図４】
2008204774.tif 000006
【図５】
2008204774.tif 000007
【図６】
2008204774.tif 000008